(57)【要約】【課題】トランスを目立たせることなく、かつ保護した状態で棚板に設けることができる収納棚構造を提供する。【解決手段】棚板１，２間に複数の仕切板１２が垂直にかつ左右に平行離間して設けられることで、隣り合う仕切板１２，１２間に収納部１３が設けられ、該収納部１３に収納ボックス１５が挿入されており、下の棚板２の下面の溝部１８に、ＬＥＤ２０が埋込み設置されており、ＬＥＤ２０用のトランス２３が、収納ボックス１５と少なくとも正面形状がほぼ等しいトランス用収納ボックス１６に収納されており、このトランス用収納ボックス１６が収納部１３に挿入されているので、トランスを目立たせることなく、かつ保護した状態で棚板に設けることができる。【選択図】図４
2009066000.tif 000002
【特許請求の範囲】
【請求項１】
棚板が上下に平行離間して設けられ、これら棚板間に複数の仕切板が垂直にかつ左右に平行離間して設けられることで、隣り合う仕切板間に収納部が設けられ、これら複数の収納部のうち少なくとも１以上の収納部に収納ボックスが出し入れ可能に挿入されており、
前記下の棚板の下面には、照明が前記下面から突出しないようにして埋込み設置されており、
この照明用のトランスが、前記収納ボックスと少なくとも正面形状がほぼ等しいトランス用収納ボックスに収納されており、このトランス用収納ボックスが前記収納部に挿入されていることを特徴とする収納棚構造。
【請求項２】
請求項１に記載の収納棚構造において、
前記下の棚の下面には、溝部が該下の棚板の幅方向に延在して形成されており、この溝部に前記照明として複数のＬＥＤが所定間隔で設けられており、
前記複数のＬＥＤは、可撓性を有する長尺なテープにその長手方向に所定間隔で取り付けられており、
前記テープが前記溝部に挿入固定されることによって、前記溝部に複数のＬＥＤが所定間隔で設けられていることを特徴とする収納棚構造。
【請求項３】
請求項１または２に記載の収納棚構造において、
前記棚板の上面縁部のうちの少なくとも一部には、上方に突出する突部が前記上面縁部に沿って形成されていることを特徴とする収納棚構造。
【請求項４】
請求項１〜３のいずれか一項に記載の収納棚構造において、
前記上の棚板の下面と、下の棚板の上面とには、上下に対向しかつ前記棚板の前端から後端まで延在する上下一対の挿入溝が、棚板の幅方向に所定間隔で複数形成されており、前記上下一対の挿入溝に、前記仕切板が挿脱可能に挿入されていることを特徴とする収納棚構造。
【請求項５】
請求項１〜４のいずれか一項に記載の収納棚構造において、前記下の棚板の下方には、作業テーブルが該棚板の前端より手前に延出して設けられていることを特徴とする収納棚構造。
【発明の詳細な説明】
【技術分野】
【０００１】
本発明は、棚板が上下に平行離間して設けられた収納棚構造に関する。
【背景技術】
【０００２】
棚板が上下に平行離間して設けられた収納構造の一例として、特許文献１に記載のものが知られている。これは、棚板に照明器具としての発光ダイオード（ＬＥＤ）が埋設されて取り付けられているものであり、棚板によりキャビネット内の照明ができ、夜間であっても容易にキャビネット内の収納状態を確認することができるという利点を有している。
【特許文献１】特開２００１−２５０４２０号公報
【発明の開示】
【発明が解決しようとする課題】
【０００３】
ところで、ＬＥＤ（発光ダイオード）は家庭用の交流１００Ｖを直接電源とすることはできず、変圧器（トンラス）を交流１００Ｖ電源に接続し、この変圧器を電源としている。
したがって、上記のように、ＬＥＤを照明として収納棚で使用する場合、トランスを棚板に設置しなければならないが、オープンの棚板ではトランスが目立ってしまうという問題がある。
また、棚板を例えばキッチン等に設置し、ＬＥＤを棚板の照明として使用する場合に、トランスを棚板にそのまま設置すると、水分や油分がトランスに付着する可能性があり、好ましくないという問題もある。
【０００４】
本発明は上記事情に鑑みてなされたもので、トランスを目立たせることなく、かつ保護した状態で棚板に設けることができる収納棚構造を提供することを課題としている。
【課題を解決するための手段】
【０００５】
上記課題を解決するために、請求項１に記載の発明は、例えば図１〜図６に示すように、棚板１，２が上下に平行離間して設けられ、これら棚板１，２間に複数の仕切板１２が垂直にかつ左右に平行離間して設けられることで、隣り合う仕切板１２，１２間に収納部１３が設けられ、これら複数の収納部１３のうち少なくとも１以上の収納部１３に収納ボックス１５が出し入れ可能に挿入されており、
前記下の棚板２の下面には、照明（ＬＥＤ）２０が前記下面から突出しないようにして埋込み設置されており、
この照明用のトランス２３が、前記収納ボックス１５と少なくとも正面形状がほぼ等しいトランス用収納ボックス１６に収納されており、このトランス用収納ボックス１６が前記収納部１３に挿入されていることを特徴とする。
【０００６】
ここで、前記照明としては、ＬＥＤ（発光ダイオード）が好適に使用されるが、これに限ることなく、トランスを必要とする照明ならば、例えば豆電球等どのような照明でもよい。
【０００７】
請求項１に記載の発明によれば、下の棚板２の下面に埋込み設置された照明用のトランス２３が、収納ボックス１５と少なくとも正面形状の等しいトランス用収納ボックス１６に収納され、このトランス用収納ボックス１６が収納部１３に挿入されているので、トランス２３がトランス用収納ボックス１６に隠され目立つことがない。
また、トランス用収納ボックス１６にトランス２３を収納することによって、トランス２３を保護された状態で棚板２に設けることができる。
また、トランス用収納ボックス１６を収納部１３から取り出すことによって、トランス２３のメンテナンスを容易に行える。
【０００８】
請求項２に記載の発明は、請求項１に記載の収納棚構造において、
前記下の棚２の下面には、溝部１８が該下の棚板２の幅方向に延在して形成されており、この溝部１８に前記照明として複数のＬＥＤ２０が所定間隔で設けられており、
前記複数のＬＥＤ２０は、可撓性を有する長尺なテープ２１にその長手方向に所定間隔で取り付けられており、
前記テープ２１が前記溝部１８に挿入固定されることによって、前記溝部１８に複数のＬＥＤ２０が所定間隔で設けられていることを特徴とする。
【０００９】
請求項２に記載の発明によれば、テープ２１を下の棚板２の下面に形成された溝部１８に挿入固定することによって、複数のＬＥＤ２０を所定間隔で容易に溝部１８に設けることができる。
【００１０】
請求項３に記載の発明は、請求項１または２に記載の収納棚構造において、
前記棚板１，２の上面縁部のうちの少なくとも一部には、上方に突出する突部１ａ，２ａが前記上面縁部に沿って形成されていることを特徴とする。
ここで、前記棚板の上面のうち、側板や背板が設けられていない上面縁部に連続して形成するのが望ましいが、上面縁部に沿って所定間隔で形成してもよい。また、突部の高さは棚板の上面に載置する物より低くする。
【００１１】
請求項３に記載の発明によれば、棚板１，２の上面前端部に形成された突部１ａ，２ａによって、棚板１，２上に置かれた物が棚板１，２から滑り出し難くなる。つまり、突部１ａ，２ａが落ち止めとして機能する。
【００１２】
請求項４に記載の発明は、請求項１〜３のいずれか一項に記載の収納棚構造において、
前記上の棚板１の下面と、下の棚板２の上面とには、上下に対向しかつ前記棚板１，２の前端から後端まで延在する上下一対の挿入溝１１，１１が、棚板１，２の幅方向に所定間隔で複数形成されており、前記上下一対の挿入溝１１，１１に、前記仕切板１２が挿脱可能に挿入されていることを特徴とする。
【００１３】
ここで、下の棚板２の上面縁部に突部２ａが形成されている場合、この突部２ａに前記挿入溝１１と連続するようにして、挿入溝１１ａを形成する。この挿入溝１１ａの底面と、挿入溝１１の底面は同じ高さにあって滑らかに連続している。また、挿入溝１１と１１ａとの溝幅は等しく設定されている。
【００１４】
請求項４に記載の発明によれば、上下一対の挿入溝１１，１１に仕切板１２が挿脱可能に挿入されているので、所望の挿入溝１１，１１に仕切板１２を挿入したり、抜き出したりすることによって、収納部１３の幅や数を容易に変更できる。
また、下の棚板２の上面縁部に突部２ａが形成されているが、この突部２ａに挿入溝１１ａを前記挿入溝１１と連続して形成することによって、仕切板１２を容易に挿脱できる。
【００１５】
請求項５に記載の発明は、請求項１〜４のいずれか一項に記載の収納棚構造において、前記下の棚板２の下方には、作業テーブル１０が該棚板２の前端より手前に延出して設けられていることを特徴とする。
【００１６】
請求項５に記載の発明によれば、下の棚板２の直下に位置する作業テーブル１０上は、この棚板２の影になって暗くなりがちになるが、ＬＥＤ２０によって明るく照らすことができる。
【発明の効果】
【００１７】
本発明によれば、下の棚板の下面に埋込み設置された照明用のトランスが、収納ボックスと少なくとも正面形状が等しいトランス用収納ボックスに収納され、このトランス用収納ボックスが収納部に挿入されているので、トランスがトランス用収納ボックスに隠され目立つことがない。また、トランス用収納ボックスにトランスを収納することによって、トランスを保護された状態で棚板に設けることができる。
また、トランス用収納ボックスを収納部から取り出すことによって、トランスのメンテナンスを容易に行える。
【発明を実施するための最良の形態】
【００１８】
以下図面を参照して本発明の実施の形態について説明する。
図１は本発明に係る収納構造の一例を示す正面図、図２は図１におけるＡ−Ａ線断面図、図３は図１におけるＢ−Ｂ線断面図、図４は図３における要部の拡大図、図５は上下の棚板を示す斜視図、図６は下の棚板の下面図である。
【００１９】
図１に示すように、本発明に係る収納棚構造は、上下２つの棚板１，２を備えており、これら棚板１，２はキッチンを形成する壁３に水平に固定されている。棚板１，２は左右に延在する帯板状に形成されており、下の棚板２の下方には、左右に離間する小棚板４，４が棚板１，２と平行にして壁３に固定されている。この小棚板４，４は上下の棚板１，２より前方（図２〜４において右方）への突出長さが短くなっている。
また、棚板１，２より下方でかつ棚板４，４より下方には、収納家具５が設けられている。この収納家具５の左右の幅は、前記棚１，２とほぼ等しい幅を有しており、上部に引出し６，６，７，７が設けられており、下部に収納凹所８・・・が設けられている。引出し６は一段構造であり、引出し７は上下二段構造となっている。収納凹所８はその下面がキッチンの床面で構成されたものであり、例えば、分別ゴミボックス９・・・が収納されるようになっている。
また、収納家具５の上面には、作業テーブル１０が設けられており、この作業テーブル１０は上下の棚板１，２より前方（図２〜４において右方）への突出長さが長くなっている。つまり、作業テーブル１０は、棚板１，２の前端より手前に延出して設けられている。
なお、図１に示すように、前記収納家具５の左方には、冷蔵庫が設置されており、右方には間仕切壁３ａを介して、洗面台が設置されている。
【００２０】
また、棚板１，２間には複数の仕切板１２が垂直にかつ左右に平行離間して設けられている。すなわち、前記上の棚板１の下面と、下の棚板２の上面とには、図１および図５に示すように、上下に対向しかつ棚板１，２の前端から後端まで延在する上下一対の挿入溝１１，１１が、棚板１，２の幅方向に所定間隔で複数形成されている。
そして、上下一対の挿入溝１１，１１に仕切板１２が挿脱可能に挿入されている。本実施の形態では、上下一対の挿入溝１１，１１は左右方向に１１個一定間隔で設けられており、これら１１個の上下一対の挿入溝１１，１１のうち、所望の８個の上下一対の挿入溝１１，１１にそれぞれ仕切板１２が挿脱可能に挿入されている。なお、仕切板１２は本実施の形態では１１枚用意されているが、使用されているのは８枚であり、残りの３枚は適宜収納されている。このようにして挿入溝１１，１１に挿入された、隣り合う仕切板１２，１２間に収納部１３が設けられている。
また、上下の棚板１，２の左右両端部には、側板１４，１４が設けられており、この側板１４とそれに隣り合う仕切板１２との間にも収納部１３が設けられている。本実施の形態では、収納部１３は９個設けられているが、そのうちの４つの収納部１３に収納ボックス１５が出し入れ可能に挿入され、１つの収納部１３にトランス用収納ボックス１６が出し入れ可能に挿入されている。
【００２１】
収納ボックス１５は四角形箱状に形成されており、上面が開口している。一方、トランス用収納ボックス１６も四角形箱状に形成されているが、上面が開口しているのではなく、下面が開口している。
収納ボックス１５とトランス用収納ボックス１６とは、合板等の同じ素材で形成されており、正面形状を含む全体形状や大きさがほぼ等しく、また、正面を含む表面全面の色調が等しくなっており、見た目ではほぼ同じボックスに見えるようになっている。収納ボックス１５にはその正面に円状の孔が形成されており、トランス用収納ボックス１６にはその孔が形成されていないので、この孔の有無でどちらのボックスであるか分かるようになっている。なお、孔は収納ボックス１５を収納部１３から引き出す際に指を引っ掛ける取手として機能するものである。
【００２２】
前記下の棚板２の下面には、図４および図６に示すように、溝部１８が棚板２の幅方向（図６では左右方向）に沿って形成されており、この溝部１８に照明としての複数のＬＥＤ（発光ダイオード）２０・・・が所定間隔で設けられている。
これら複数のＬＥＤ２０・・・は、可撓性を有する長尺なテープ２１にその長手方向に所定間隔で取り付けられており、このテープ２１が前記溝部１８に挿入固定されている。例えば、テープ２１の裏面には接着剤が塗布されており、この接着剤によってテープ２１が溝部１８の底面に接着固定されている。この状態において、ＬＥＤ２０は棚板２の下面から突出することなく、棚板２の下面に埋込み設置されている。
また、テープ２１には、複数のＬＥＤ２０用の配線が内蔵されており、この配線の端部２２がトランス２３に接続されている。トランス２３は、図４に示すように、略直方体状に形成されており、前記トランス用収納ボックス１６に収納された状態で、図１における右から２つめの収納部１３に収納されている。実際には、トランス２３は右から２つめの収納部１３に載置されており、このトランス２３に、棚板２を貫通して設けられた配線の端部２２が接続されている。そして、配線が接続されたトランス２３にトランス用収納ボックス１６が上から被されている。これによって、トランス２３は隠されている。
【００２３】
また、図２および図３に示すように、収納家具５の下面には、複数の照明としてのＬＥＤ２５が収納家具５の幅方向（図２および図３において紙面と直交する方向）に沿って設けられている。これらＬＥＤ２５も前記ＬＥＤ２０と同様に、可撓性を有する長尺なテープにその長手方向に所定間隔で取り付けられており、このテープが収納家具２５の下面に接着固定されている。したがって、これらＬＥＤ２５によって収納家具５の下方の収納凹所８を照らすことができる。なお、ＬＥＤ２５用のトランス２６は収納家具５内に設置されている。
【００２４】
また、図４および図５に示すように、棚板１，２の上面縁部のうち上面前端縁部には、上方に突出する突部１ａ，２ａが棚板１，２の幅方向に沿って形成されており、棚板１の上面縁部のうち側端縁部には、上方に突出する突部１ｂが前記突部１ａと連続して形成されている。
また、下の棚板の突部２ａには、挿入溝１１と連続するようにして、挿入溝１１ａが形成されている。この挿入溝１１ａの底面と、挿入溝１１の底面は同じ高さにあって滑らかに連続している。また、挿入溝１１と１１ａとの溝幅は等しく設定されている。
【００２５】
本実施の形態によれば、下の棚板２の下面に、溝部１８によって埋込み設置された照明としてのＬＥＤ用のトランス２３が、収納ボックス１５と正面形状を含む全体形状がほぼ等しく、また、正面を含む表面全面の色調が等しくなっているトランス用収納ボックス１６に収納され、このトランス用収納ボックス１６が収納部１３に挿入されているので、トランス２３がトランス用収納ボックス１６に隠され目立つことがない。
また、トランス用収納ボックス１６にトランス２３を収納することによって、トランス２３を保護された状態で棚板２に設けることができる。
また、トランス用収納ボックス１６を収納部１３から取り出すことによって、トランス２３のメンテナンスを容易に行える。
【００２６】
さらに、複数のＬＥＤ２０が、可撓性を有する長尺なテープ２１にその長手方向に所定間隔で取り付けられており、このテープ２１が下の棚板２の下面に形成された溝部１８に挿入固定されているので、複数のＬＥＤ２０を所定間隔で容易に溝部１８に設けることができる。
加えて、棚板１，２の上面前端縁部には、上方に突出する突部１ａ，２ａが棚板１，２の幅方向に沿って形成されているので、棚板１，２上に置かれた物が前方に滑り出し難くなる。
【００２７】
また、上下の棚板１，２に形成された上下一対の挿入溝１１，１１に仕切板１２が挿脱可能に挿入されているので、所望の挿入溝１１，１１に仕切板１２を挿入したり、抜き出したりすることによって、収納部１３の幅や数を容易に変更できる。
また、下の棚板２の上面縁部に突部２ａが形成されているが、この突部２ａに挿入溝１１ａが前記挿入溝１１と連続して形成されているので、突部２ａがあっても仕切板１２を容易に挿脱できる。
さらに、下の棚板２の下方には、作業テーブル１０が該棚板２の前端より手前に延出して設けられており、下の棚板２の直下に位置する作業テーブル１０上は、この棚板２の影になって暗くなりがちになるが、ＬＥＤ２０によって明るく照らすことができる。
【図面の簡単な説明】
【００２８】
【図１】本発明に係る収納構造の一例を示すもので、正面図である。
【図２】同、図１におけるＡ−Ａ線断面図である。
【図３】同、図１におけるＢ−Ｂ線断面図である。
【図４】同、図３における要部の拡大図である。
【図５】同、上下の棚板を示す斜視図である。
【図６】同、下の棚板の下面図である。
【符号の説明】
【００２９】
１  上の棚板
１ａ  突部
２  下の棚板
２ａ  突部
１０  作業テーブル
１１  挿入溝
１２  仕切板
１３  収納部
１５  収納ボックス
１６  トランス用収納ボックス
１８  溝部
２０  ＬＥＤ（照明）
２１  テープ
２３  トランス
【図１】
2009066000.tif 000003
【図２】
2009066000.tif 000004
【図３】
2009066000.tif 000005
【図４】
2009066000.tif 000006
【図５】
2009066000.tif 000007
【図６】
2009066000.tif 000008